(57)【要約】      （修正有）【課題】レバーの操作によって絞り装置が早く消耗し壊れる事のないモップ絞り装置を提供する。【解決手段】モップ絞り装置１２は、絞られるモップ材料を有するモップヘッドを受けるための開口１６ａを有するバスケット１４と、モップヘッドのモップ材料をバスケット１４内にまたはバスケットに対して押すための押圧部材２０を含む、レバー操作される機械的に補助される押圧機構と、押圧部材２０を操作するための延在レバー２８とを備えている。当該レバー２８は、バスケット１４の開口１６ａを二分または概ね二分する平面内に配置されている。  上述されたモップ絞り装置１２のレバー２８を中心に位置づけるために特に適用されるモップ保持部材４２も提供される。当該モップ保持部材４２は、絞り装置のレバー２８に保持部材４２を固定する手段と、モップヘッドに取り付けられたモップハンドルを取り外し自在に把持するグリップ部とを備えている。【選択図】図３
2008142418.tif 000002
【特許請求の範囲】
【請求項１】
モップ絞り装置において、
絞られるモップ材料を有するモップヘッドを受けるための開口を有するバスケットと、
モップヘッドのモップ材料をバスケット内にまたはバスケットに対して押すための押圧部材を含む、レバー操作される機械的に補助される押圧機構と、
押圧部材を操作するための延在レバーとを備え、
当該レバーは、バスケットの開口を分断または概ね二分する平面内に配置されている、モップ絞り装置。
【請求項２】
レバーの平面は、０ｍｍより大きく、２０ｍｍより小さな範囲で、バスケットの開口を均等に二分する線から離れている、請求項１記載のモップ絞り装置。
【請求項３】
レバーの平面は、１０ｍｍから１５ｍｍまでの範囲で、バスケットの開口を均等に二分する線から離れている、請求項１記載のモップ絞り装置。
【請求項４】
レバー操作される押圧機構は、モップ材料をバスケット内にまたはバスケットに対して押すため二つの押圧部材を含む、請求項１記載のモップ絞り装置。
【請求項５】
モップヘッドに取り付けられたハンドルを取り外し自在に保持する保持部材をさらに備えた請求項１記載のモップ絞り装置。
【請求項６】
保持部材は、レバーに設けられ、モップヘッドがバスケット内に配置されるときにハンドルを支持する、請求項５記載のモップ絞り装置。
【請求項７】
請求項１記載のモップ絞り装置のレバーのためのモップ保持部材であって、
当該絞り装置のレバーに保持部材を固定する手段と、
モップヘッドに取り付けられたモップハンドルを取り外し自在に把持するグリップ部とを備えた保持部材。
【請求項８】
グリップ部は、二つの顎部を含み、
モップハンドルは、当該顎部の間で押し込み挿入することができる、請求項７記載の保持部材。
【請求項９】
前記固定する手段はクランプ部であり、
当該クランプ部によって、保持部材がレバーに対してクランプされる、請求項７記載の保持部材。
【請求項１０】
請求項１記載のモップ絞り装置とバケツの組み合わせであって、
当該モップ絞り装置が当該バケツに取り外し自在に取り付けられている組合せ。
【請求項１１】
モップ絞り装置のレバーが、押圧条件で、バケツの前端を超えて延在している、請求項１０記載の組合せ。
【請求項１２】
請求項７記載の保持部材をさらに備えた請求項１０記載の組合せ。
【発明の詳細な説明】
【技術分野】
【０００１】
本発明は、モップ絞り装置、このような絞り装置のためのモップハンドル保持部材、およびこのような絞り装置とバケツの組合せに関する。
【背景技術】
【０００２】
レバー操作される機械的に補助される押圧絞り装置はよく知られている。それらは、典型的には、バスケットと、バスケット内と外にスライド可能な一つまたは二つの押圧プレートと、使用者によって操作可能な回転可能なレバーと、レバーを一つまたは各押圧プレートに連結する延在したギア機構とを備えている。レバーが押されるか前方へ引かれると、一つまたは各押圧プレートはバスケット内に移動し、モップ材料を有するモップヘッドをバスケット内に押し込み、モップ材料が絞られる。車輪付きバケツによって支持されるこのような配置は、例えば、図１と英国特許公報ＧＢ２２４３５３７Ａによって示されている。
【０００３】
この先行技術において、レバーは水平方向に回転可能な駆動バーに連結されている。図２に示されているようなモップヘッドの従来の形状を収容するために、レバーの遠位端は、絞り装置の一内側に隣接する駆動バーに連結されており、駆動バーの中心から十分にオフセットしている。
【０００４】
レバー操作される押圧機構も利用することができる絞り装置の他の配置は、絞り装置の外面にレバーを配置することによって、駆動バーを無くしている。
【発明の開示】
【発明が解決しようとする課題】
【０００５】
これらのオフセットした配置の両方は不十分である。オフセットしたレバーのために、レバーが操作されるときに、バケツ、ホイールベースおよびカストール（castor）を支持する絞り装置に、ねじりモーメントが絞り装置に加わる。このため、絞り装置が早く消耗し壊れたり、および／または平均寿命がかなり短くなってしまったりする。
【０００６】
また、ねじりモーメントが加えられるので、絞り装置とバケツの安定性が減少し、大量にこぼれてしまう。
【０００７】
さらに、典型的には、従来のレバーは右側にオフセットしているので、左利きの使用者は利用しにくかった。
【０００８】
最後に、従来のオフセットしたレバーのために、モップヘッドが絞り装置内に配置されているときであって、モップが支えられていない状態にしておくことが好ましいとき、モップハンドルを容易に支持することができない。
【０００９】
本発明はこれらの問題を解決することを求めている。
【課題を解決するための手段】
【００１０】
本発明の第一の特徴によると、モップ絞り装置において、絞られるモップ材料を有するモップヘッドを受けるための開口を有するバスケットと、モップヘッドのモップ材料をバスケット内にまたはバスケットに対して押すための押圧部材を含む、レバー操作される機械的に補助される押圧機構と、押圧部材を操作するための延在レバーとを備え、当該レバーが、バスケットの開口を分断または概ね二分する平面内に配置されている、モップ絞り装置が提供される。
【００１１】
本発明の第二の特徴によると、本発明の第一の特徴によるモップ絞り装置のレバーのための保持部材であって、当該絞り装置のレバーに保持部材を固定する手段と、モップヘッドに取り付けられたモップハンドルを取り外し自在に把持するグリップ部とを備えた保持部材が提供される。
【００１２】
本発明の第三の特徴によると、本発明の第一の特徴によるモップ絞り装置とバケツの組み合わせであって、当該モップ絞り装置が当該バケツに取り外し自在に取り付けられている組合せが提供される。
【００１３】
以下、本発明は、添付された図面を参照として、例示されて、より詳細に記載される。
【発明を実施するための形態】
【００１４】
図３乃至図９を参照として、カストール（castor）を有する車輪付きバケツ１０と、バケツ１０の上方リムに取り外し自在に設けられたレバー操作される機械的に補助されるモップ絞り装置とが示されている。バケツ１０とこのようなモップ絞り装置１２の組合せは、一般的に、例えば、英国特許公報２２４３５３７Ａによって知られているため、さらに詳細を記載する必要はない。
【００１５】
しかしながら、明確にするために記載すると、機械的に補助されるモップ絞り装置１２は、モップヘッド１８を受けるための主要開口１６aを有し、チャネル１６を画定する穴のあるまたは略格子タイプのバスケット１４と、モップヘッド１８によって保持されたモップ材料をバスケット１４内にまたはバスケット１４に対して移動させるために、バスケット１４内およびバスケット１４外にガイドスロット２２に沿って移動可能な二つの対向する押圧部または押圧プレート２０と、ガイドスロット２２に沿って押圧プレート２０を移動させるためのモップ絞り装置１２の一側または両側２４に設けられた閉じたギア機構と、回転するとき、一つまたは各ギア機構を駆動させる回転可能な駆動バー２６と、駆動バー２６に取り付けられ、駆動バー２６を回転させるための長ハンドルレバー２８とを備えている。
【００１６】
現在、かなりスリムでコンパクトな外形を有するモップヘッド１８が基本として使用されている。例えば、このようなモップヘッド１８は図４に示され、異なるタイプのモップヘッドは英国特許公報２２６２２５５Ａに示されている。これらのモップヘッド１８は、モップハンドル３２を取り付けるためのネジが切られた突起３０と、典型的にはなわれたモップ材料（図示せず）を取り付けるために延在した、または円形状の把持本体３４とを有している。
【００１７】
図５および図６で最も良く示されているように、結果的に、本発明のモップ絞り装置１２の長ハンドルレバー２８は、駆動バー２６の中央または略中央に位置している。このため、レバー２８は、絞り装置１２のバスケット１４の主要開口１６aを二分または概ね二分する平面３６内で作動し、または移動する。
【００１８】
レバー２８の長軸３８がある、レバー２８を作動させる平面３６は、バスケット１４の開口１６aおよび駆動バー２６を二分する線４０から１０ｍｍから１５ｍｍまでの空間があり、オフセットしている。しかしながら、その範囲は、０ｍｍ（すなわち、レバー２８が駆動バー２６の中央に位置している）から２０ｍｍ以下をとることができる。
【００１９】
現在のコンパクトなモップヘッドの小さな外形によると、絞り操作をするレバー２８が、中央または略中央で邪魔をすることがなくなるか、少なくともかなり減少する。
【００２０】
図３および図７乃至図９に示すように、保持部材４２は、モップヘッド１８に取り付けられたモップハンドル３２を取り外し自在に把持するために、レバー２８に設けられている。保持部材４２は、中央にあるレバー２８に特に用いられ、動く（living）または一体となったヒンジ４４を有する概ね中央部のくびれたハサミ形状を有している。保持部材４２の形状は、二つのグリップ部４６，４８を画定している。ヒンジ４４からウェスト５０までの一つのグリップ部４６は、レバー２８に保持部材４２を止めるためのクランプとして作用する。ボルトおよびナットまたは自己タッピングネジのようなネジが切られた固定装置５２が、保持部材４２の対向する側部を一緒に固定するようウェスト５０に配置され、このことによって、適切な場所でレバー２８に保持部材４２を固定する。
【００２１】
他方のグリップ部４８は、柔軟な対向する二つの顎部５４を画定し、当該顎部５４の間で、モップハンドル３２が押されて密着して挿入され、把持されるようになっている。モップハンドル３２は、保持部材４２から引き抜かれることによって、保持部材４２の顎部５４から単純に取り外すことができる。
【００２２】
保持部材４２は、レバー２８の長手方向の範囲に沿ったあらゆる位置に配置することができる。
【００２３】
保持部材４２をレバー２８に固定することができるあらゆる適切な手段を用いることができる。例えば、グリップ部４６は、レバー２８の近位端５８内に配置された、押し込みプラグであってもよい。この場合、保持部材４２の顎部５４は、押し込みプラグまで横方向に延在している。しかしながら、この配置は、レバー２８を把持する使用者にとって邪魔であるかもしれない。
【００２４】
固定手段も、保持部材４２をレバー２８に直接固定するネジが切られた留め金具である。
【００２５】
保持部材４２を保持しているモップハンドルは、モップ絞り装置が機械的に補助されているか、ギアタイプのモップ絞り装置であるかに関係なく、中央または略中央にある、あらゆるモップ絞り装置のレバーとともに用いることができる。
【００２６】
モップのハンドル３２は、モップが絞り装置１２のバスケット１４内に配置されているとき、保持部材４２によって絞り装置１２のレバー２８に沿って保持されることができる。この条件のもと、モップは、壁に支えられるように外部の補助を必要とすることなく、確実かつ積極的に支持されている。このため、モップは、危険を伴うことなく放っておくことができる。
【００２７】
上述されたモップ絞り装置のレバーは、主に長いハンドルレバーを意図しており、操作されるときに、モップ絞り装置が位置するバケツの前端を超えて延在している。しかしながら、短いハンドルレバー、すなわちバケツの前端を超えて延在しないレバーも、駆動バーの中央に位置することが好ましい。
【００２８】
機械的に補助されるモップ絞り装置は、たった一つの押圧部材を有することができる。
【００２９】
絞り装置の‘機械的な補助’は、ギア機構の代わりまたはギア機構に加えて、レバーおよび一つのまたは各押圧部材を連結する、絞り装置の一側部または各側部における連結配置を形成することができる。
【００３０】
絞り装置のレバーを中央または略中央に配置することによって、絞り装置およびバケツに加わる好ましくない回転モーメントおよびねじれモーメントを、無くしたりかなり減少させたりすることができる。このため、使用者によって絞り装置やバケツに加わる力が均等またはより均等に配分され、操作機能寿命を長くすることができる。さらに、左利きの使用者は、より容易に絞り装置を操作することができる。モップハンドルは、中央にあるレバーによって安全かつしっかりと支持されることができる。
【００３１】
上述された実施の形態は、単なる例示として示されており、修正は、添付された請求項によって定義される本発明の範囲から離れることのない範囲内で、当業者にとって明白である。
【図面の簡単な説明】
【００３２】
【図１】オフセットレバーを有する、先行技術のレバー操作される機械的に補助された押圧絞り装置を示す図。
【図２】先行技術のモップヘッドを示す図。
【図３】車輪付きバケツ状に着座され、本発明の第二の態様によるモップ保持部材を含む、本発明の第一の態様による長いハンドルのモップ絞り装置の一実施の形態の斜視図。
【図４】図３に示されたモップ絞り装置とともに典型的に用いられる既知のモップヘッドの正面図。
【図５】モップ絞り装置およびバケツと、図３に示した保持部材の前面図。
【図６】図３に示したモップ絞り装置の駆動バーの正面図。
【図７】保持部材の斜視図。
【図８】保持部材の平面図。
【図９】図４に示されたモップ絞り装置のレバーの近位端であって、使用者ハンドグリップ部と保持部材を示す拡大側方図。
【図１】
2008142418.tif 000003
【図２】
2008142418.tif 000004
【図３】
2008142418.tif 000005
【図４】
2008142418.tif 000006
【図５】
2008142418.tif 000007
【図６】
2008142418.tif 000008
【図７】
2008142418.tif 000009
【図８】
2008142418.tif 000010
【図９】
2008142418.tif 000011
【外国語明細書】
2008142418000001.pdf